(57)【特許請求の範囲】
【請求項１】
ケーシング(32)内に設けられた駆動源(31)により、前記ケーシング(32)の先端部(33)に設けられたナットランナー部(2A)のソケットレンチ(4)を回転駆動するようにし、
前記ナットランナー部(2A)の端部(2Aa)に軸方向(A)移動自在で、かつ、スプリング(50)によって一方向に付勢されたソケットカバー(10)を有し、
前記ソケットカバー(10)は前記ソケットレンチ(4)の外周側に同軸配置されている構成としたナットランナー装置におけるソケットカバー構造において、
前記ナットランナー部(2A)の端部(2Aa)の外周に設けられ全体形状が筒状をなすソケットカバー(10)の先端部(10A)の内側に形成された輪状溝部(40)と、前記輪状溝部(40)の底壁(41)に形成された複数の貫通孔(42)と、前記各貫通孔(42)を作動自在に貫通し前記ナットランナー部(2A)の端部(2Aa)に固定されたストッパーピン(43)と、前記各ストッパーピン(43)の外端(43A)に形成され前記ストッパーピン(43)に対する前記ソケットカバー(10)の抜けを防止するためのストッパー頭部(45)と、前記ストッパーピン(43)の外周に設けられ前記ナットランナー部(2A)の端部(2Aa)と前記輪状溝部(40)の底壁(41)の内面(41A)との間に設けられたスプリング(50)と、からなり、前記ナットランナー部(2A)に対して前記ソケットカバー(10)は、常時外側(60)へ向けて付勢されている構成としたことを特徴とするナットランナー装置におけるソケットカバー構造。
【請求項２】
前記ストッパー頭部(45)が前記底壁(41)に接触している状態では、前記ソケットカバー(10)の後端(10B)は、前記ストッパーピン(43)のピン後端(43B)よりも後方に位置している構成としたことを特徴とする請求項１記載のナットランナー装置におけるソケットカバー構造。
【発明の詳細な説明】
【技術分野】
【０００１】
本発明は、ナットランナー装置におけるソケットカバー構造に関し、主として、ナットランナーのソケットレンチの外周側にソケットカバーを軸方向移動自在に設けることにより、回転するソケットレンチに対する安全性を向上させるための新規な改良に関する。
【背景技術】
【０００２】
従来、用いられていたこの種のナットランナー装置としては、例えば、特許文献１及び２の構成を、図６及び図７に挙げることができる。
すなわち、図６の特許文献１の構成の場合、円筒状の芯ずれ吸収カバー２２の両端には、ソケット部１９,２０からなると共に六角孔部２０１を有するねじ側ソケット１７と各ソケット部１４,１５からなると共に角孔部１４２を有する機械側ソケット１２が設けられている。
【０００３】
前記芯ずれ吸収カバー２２内には、胴体部１１と一対のボール部１１２及び１１３からなるリンク部１１が内設され、前記各ボール部１１２及び１１３と前記ソケット部１５及び１９との間には、スプリング２３が介挿され、前記各ソケット部１４,１５及び１９,２０は付勢された状態で前記芯ずれ吸収カバー２２に設けられている。
【０００４】
従って、前記機械側ソケット１２の各孔部１４２に図示しないモータの回転軸を接続し、前記ソケット部２０の六角孔部２０１に被締付用ボルト(図示せず)を係合させた状態で、前記モータを駆動させると、前記ソケット部２０によって前記ボルトの締付けを行うことができる。
【０００５】
次に、図７の構成は、特許文献２の構造を示しており、図７においてナットランナー装置２内には、受動ギヤ７を有するナットソケット軸６が回転自在に設けられており、このナットソケット軸６の先端にはナットＮと座金Ｗを保持したナットソケット４が設けられている。
【０００６】
前記ナットランナー装置２の先端には、ソケットカバー１０が設けられており、このソケットカバー１０の先端の開口孔１０ａには、半径方向に向けて形成された複数の孔１２が設けられ、前記各孔１２内には、ばね１５により付勢された係止ボール１３を有するボールプランジャ１１の筒状ケース１４が設けられている。
前記係止ボール１３は、前記筒状ケース１４の開口形状によって外方に飛び出すことのないように保持されている。
【０００７】
従って、図７の構成において、前記受動ギヤ７に対して、図示しない駆動源の駆動ギヤを噛合させると、ナットＮとワッシャＷが回転し、この回転状態のままで前記ナットＮとワッシャＷを図示しないねじ軸に螺合させると、ナットＮとワッシャＷはボールプランジャ１１で保持されたままでねじ軸に螺合される。
【先行技術文献】
【特許文献】
【０００８】
【特許文献１】特許第４８４１４９３号公報
【特許文献２】実開平６−６１９号公報
【発明の概要】
【発明が解決しようとする課題】
【０００９】
従来のナットランナー装置は、以上のように構成されていたため、次のような課題が存在していた。
すなわち、図６に示される特許文献１の構成においては、ナットを締め付けるためのソケット部２０が外部に露出しているため、作業中にソケット部２０に触れると大変危険である。
【００１０】
また、図７に示される特許文献２の構成の場合、ソケットカバー１０内にナットＮと座金Ｗが設けられた状態でナットランナー装置２のナットランナー部２Ａを相手方のボルトに対して螺合させる時に、ソケットカバー１０が固定状態であるため、このソケットカバー１０が相手方の固定部分に当接し、ナット締めの障害となることもあった。
【００１１】
本発明は、以上のような課題を解決するためになされたもので、特に、ナットランナーのソケットレンチ外周にソケットカバーを軸方向移動自在に設けることにより、回転するソケットレンチに対する安全性を向上させるようにしたナットランナー装置におけるソケットカバー構造を提供することを目的とする。
【課題を解決するための手段】
【００１２】
本発明によるナットランナー装置におけるソケットカバー構造は、ケーシング内に設けられた駆動源により、前記ケーシングの先端部に設けられたナットランナー部のソケットレンチを回転駆動するようにし、前記ナットランナー部の端部に軸方向移動自在で、かつ、スプリングによって一方向に付勢されたソケットカバーを有し、前記ソケットカバーは前記ソケットレンチの外周側に同軸配置されている構成において、前記ナットランナー部の端部の外周に設けられ全体形状が筒状をなすソケットカバーの先端部の内側に形成された輪状溝部と、前記輪状溝部の底壁に形成された複数の貫通孔と、前記各貫通孔を作動自在に貫通し前記ナットランナー部の端部に固定されたストッパーピンと、前記各ストッパーピンの外端に形成され前記ストッパーピンに対する前記ソケットカバーの抜けを防止するためのストッパー頭部と、前記ストッパーピンの外周に設けられ前記ナットランナー部の端部と前記輪状溝部の底壁の内面との間に設けられたスプリングと、からなり、前記ナットランナー部に対して前記ソケットカバーは、常時外側へ向けて付勢されている構成であり、また、前記ストッパー頭部が前記底壁に接触している状態では、前記ソケットカバーの後端は、前記ストッパーピンのピン後端よりも後方に位置している構成である。
【発明の効果】
【００１３】
本発明によるナットランナー装置におけるソケットカバー構造は、以上のように構成されているため、次のような効果を得ることができる。
すなわち、ケーシング内に設けられた駆動源により、前記ケーシングの先端部に設けられたナットランナー部のソケットレンチを回転駆動するようにし、前記ナットランナー部の端部に軸方向移動自在で、かつ、スプリングによって一方向に付勢されたソケットカバーを有し、前記ソケットカバーは前記ソケットレンチの外周側に同軸配置されていることにより、回転するソケットレンチに対する安全性が向上する。また、ソケットレンチの相手方の座面への接触を防止できる。
また、前記ナットランナー部の端部の外周に設けられ全体形状が筒状をなすソケットカバーの先端部の内側に形成された輪状溝部と、前記輪状溝部の底壁に形成された複数の貫通孔と、前記各貫通孔を作動自在に貫通し前記ナットランナー部の端部に固定されたストッパーピンと、前記各ストッパーピンの外端に形成され前記ストッパーピンに対する前記ソケットカバーの抜けを防止するためのストッパー頭部と、前記ストッパーピンの外周に設けられ前記ナットランナー部の端部と前記輪状溝部の底壁の内面との間に設けられたスプリングと、からなり、前記ナットランナー部に対して前記ソケットカバーは、常時外側へ向けて付勢されていることにより、相手方の座面に対してソケットレンチが接触することはなく、従来のようなソケットレンチによる座面の擦りを防止し、その結果、ソケットレンチの回転トルク向上を得ることができる。
また、前記ストッパー頭部が前記底壁に接触している状態では、前記ソケットカバーの後端は、前記ストッパーピンのピン後端よりも後方に位置しているにより、回転中のソケットレンチをソケットカバーにより完全に覆うことができる。
【図面の簡単な説明】
【００１４】
【図１】本発明によるナットランナー装置を示す概略図である。
【図２】図１の平面図である。
【図３】図１の左側面図である。
【図４】図２のソケットレンチを示す左側面拡大図である。
【図５】図２の要部の拡大断面図である。
【図６】従来のナットランナー装置を示す断面図である。
【図７】従来のナットランナー装置を示す断面図である。
【発明を実施するための形態】
【００１５】
本発明によるナットランナー装置におけるソケットカバー構造は、ナットランナーのソケットレンチ外周にソケットカバーを軸方向移動自在に設けることにより、回転するソケットレンチに対する安全性を向上させることである。
【実施例】
【００１６】
以下、図面と共に本発明によるナットランナー装置におけるソケットカバー構造の好適な実施の形態について説明する。
尚、図７で示されるナットランナー装置２と同一又は同等部分には同一符号を用いて説明する。
図１で示されるナットランナー装置２においては、取手３０を有しモータ等の駆動源３１を有するケーシング３２の先端側３３に駆動軸３４が設けられ、この駆動軸３４には、ナットランナー分３５のソケットレンチ４が接続されている。
前記駆動源３１は、前記ケーシング３２に取り付けられた駆動スイッチ３６のオン／オフによって駆動又は非駆動とされるように構成されている。
【００１７】
前記ナットランナー部３５に回転自在に設けられたソケットレンチ４の外周位置には、全体形状が筒状をなすソケットカバー１０が軸方向Ａに沿って移動自在となるように設けられている。
【００１８】
前記ソケットカバー１０の先端部１０Ａの内側には輪状溝部４０が形成され、この輪状溝部４０の底壁４１には複数の貫通孔４２が形成されている。
前記各貫通孔４２を作動自在、すなわち、軸方向Ａに沿って移動自在に貫通してストッパーピン４３が設けられており、各ストッパーピン４３のねじ部４４は前記ナットランナー部２Ａの端部２Ａａのねじ孔４４ａに螺入されて前記各ストッパーピン４３がナットランナー部２Ａに固定されている。
【００１９】
前記各ストッパーピン４３の外端４３Ａに形成されたストッパ頭部４５は、前記底壁４１の内面４１Ａに接触し、前記貫通孔４２の孔径よりもストッパー頭部４５の形状の方が大であるため、前記輪状溝部４０は前記ストッパー頭部４５から外方に抜けることはなく、かつ、前記ソケットカバー１０は前記ストッパーピン４３から外側６０へは抜けることのないように構成されている。
【００２０】
前記ストッパーピン４３の外周には、スプリング５０が圧縮された状態で設けられており、このスプリング５０は、前記ナットランナー部２Ａの端部２Ａａと前記輪状溝部４０の前記底壁４１の内面４１Ａとの間に設けられていることにより、前記ソケットカバー１０は前記ナットランナー部２Ａに対して軸方向Ａに沿って常時外側６０に向けて付勢されている。
【００２１】
図５のように、前記ナットランナー部２Ａの前記ソケットレンチ４の多角孔５１を用いてナット(図示せず)締めを行う前の状態では、前記ソケットカバー１０の先端面１０Ａａが前記ソケットレンチ４の先端面４Ａよりも長さＬ分だけ突出しているため、図５の状態でソケットレンチ４を空転させた場合でも、作業者の手等に回転中のソケットレンチ４が接触することはなく、安全性を確保することができるように構成されている。尚、前記ソケットレンチ４の外周４Ｂと輪状溝部４０の内周４０Ａとは隙間Ｇにより非接触に保たれている。
また、図５の状態では、ソケットカバー１０の後端１０Ｂは、ストッパーピン４３のピン後端４３Ｂよりも後方に位置している。
【００２２】
次に、前述の構成において、本発明によるナットランナー装置２を用いて、図示しないナット又はねじを締め付ける場合、図示しない装置の例えばボルトにナットが設けられた状態で、前記ソケットレンチ４の多角孔５１にナットを係合させ、駆動スイッチ３６を操作してソケットレンチ４を回転させると、ソケットカバー１０の先端面１０Ａａは前記装置の座面に当接した状態でソケットレンチ４のみが相対的に前進すると共にソケットカバー１０はスプリング５０を圧縮しつつ長さＬ１分だけ後退し、ソケットレンチ４によるナット締めは完了する。
【００２３】
尚、前述の場合、装置の座面に接触するのはソケットカバー１０の先端面１０Ａａのみであり、前記ソケットレンチ４が直接接触することはないため、ソケットレンチ４の損傷等もなく、また、ソケットレンチと座面との接触による粉塵等は発生することがなく、安全なナット締めを行うことができる。
【００２４】
また、前述の本発明によるナットランナー装置におけるソケットカバー構造の要旨は次の通りである。
ケーシング３２内に設けられた駆動源３１により、前記ケーシング３２の先端部３３に設けられたナットランナー部２Ａのソケットレンチ４を回転駆動するようにし、前記ナットランナー部２Ａの端部２Ａａに軸方向Ａ移動自在で、かつ、スプリング５０によって一方向に付勢されたソケットカバー１０を有し、前記ソケットカバー１０は前記ソケットレンチ４の外周側に同軸配置されている構成において、前記ナットランナー部２Ａの端部２Ａａの外周に設けられ全体形状が筒状をなすソケットカバー１０の先端部１０Ａの内側に形成された輪状溝部４０と、前記輪状溝部４０の底壁４１に形成された複数の貫通孔４２と、前記各貫通孔４２を作動自在に貫通し前記ナットランナー部２Ａの端部２Ａａに固定されたストッパーピン４３と、前記各ストッパーピン４３の外端４３Ａに形成され前記ストッパーピン４３に対する前記ソケットカバー１０の抜けを防止するためのストッパー頭部４５と、前記ストッパーピン４３の外周に設けられ前記ナットランナー部２Ａの端部２Ａａと前記輪状溝部４０の底壁４１の内面４１Ａとの間に設けられたスプリング５０と、からなり、前記ナットランナー部２Ａに対して前記ソケットカバー１０は、常時外側６０へ向けて付勢されている構成としたことを特徴とするナットランナー装置におけるソケットカバー構造であり、また、前記ストッパー頭部４５が前記底壁４１に接触している状態では、前記ソケットカバー１０の後端１０Ｂは、前記ストッパーピン４３のピン後端４３Ｂよりも後方に位置している構成としたことを特徴とするナットランナー装置におけるソケットカバー構造である。
【産業上の利用可能性】
【００２５】
本発明によるナットランナー装置におけるソケットカバー構造は、ソケットレンチの外周側にソケットカバーを軸方向移動自在に設け、ソケットレンチに対する安全性及びパワーの向上を得ることができる。
【符号の説明】
【００２６】
２    ナットランナー装置
２Ａ    ナットランナー部
２Ａａ    端部
４    ソケットレンチ
４Ａ    先端面
４Ｂ    外周
１０    ソケットカバー
１０Ａ    先端部
１０Ａａ    先端面
１０Ｂ    後端
Ａ    軸方向
３０    取手
３１    駆動源
３２    ケーシング
３３    先端側
３４    駆動軸
３６    駆動スイッチ
４０    輪状溝部
４１    底壁
４２    貫通孔
４３    ストッパーピン
４３Ａ    外端
４３Ｂ    ピン後端
４４    ねじ部
４５    ストッパー頭部
５０    スプリング
５１    多角孔
【図１】
0006405513.tif 000002
【図２】
0006405513.tif 000003
【図３】
0006405513.tif 000004
【図４】
0006405513.tif 000005
【図５】
0006405513.tif 000006
【図６】
0006405513.tif 000007
【図７】
0006405513.tif 000008